(57)【要約】化粧品用の塗布具（２４）の少なくとも一部分を受け入れる容器（１０、３０）が記載されている。容器は、容器内の塗布具を保持する保持部（１４、２８）と、塗布具を受け入れる空間（３８、３６）の少なくとも一部分を画定する容器スリーブ（１２、３２）を有する。本発明によれば、容器スリーブに対する保持部の相対位置を調整可能とする。
2005534355.tif 000002
【特許請求の範囲】
【請求項１】
化粧品用の塗布具（２４）の少なくとも一部分を受け入れる容器であって、
前記容器（１０、３０）内で前記塗布具（２４）を保持する保持部（１４、２８）と、
前記塗布具（２４）のための受入れ空間（３８、３６）の少なくとも一部分を画定する容器スリーブ（１２、３２）と、
を有する容器において、
前記保持部（１４、２８）の相対位置が前記容器スリーブ（１２、３２）に対して調節可能であることを特徴とする容器。
【請求項２】
前記調節は、構成要素を前記容器（１０、３０）の縦軸を横切る方向に行われることを特徴とする、請求項１に記載の容器。
【請求項３】
前記調節がピボット運動によるものであることを特徴とする、請求項１または２に記載の容器。
【請求項４】
前記保持部（１４）と前記容器スリーブ（１２）の間に変形可能な連結手段（１８、４２）をさらに有することを特徴とする、請求項１〜３のいずれか１項に記載の容器。
【請求項５】
前記連結手段が蛇腹部（１８）を有していることを特徴とする、請求項１〜４のいずれか１項に記載の容器。
【請求項６】
前記蛇腹部（１８）が、１つ、２つ、またはそれ以上の内向き突出部および／または１つ、２つ、またはそれ以上の外向き突出部（２０）を有することを特徴とする、請求項５に記載の容器。
【請求項７】
前記連結手段（１８）は、断面の輪郭が尖っているか、または弓形であることを特徴とする、請求項４〜６のいずれか１項に記載の容器。
【請求項８】
前記連結手段（１８、４２）がエラストマ材料を含むことを特徴とする、請求項４〜７のいずれか１項に記載の容器。
【請求項９】
前記連結手段（１８、４２）の少なくとも一部分を覆うカバー手段（２２）をさらに有することを特徴とする、請求項４〜８のいずれか１項に記載の容器。
【請求項１０】
円錐状または球状であることを特徴とする、請求項１〜９のいずれか１項に記載の容器。
【請求項１１】
前記保持部（１４）がネジ山（１６）を有することを特徴とする、請求項１〜１０のいずれか１項に記載の容器。
【発明の詳細な説明】
【技術分野】
【０００１】
本発明は、化粧品用塗布具の少なくとも一部分を入れる容器において、容器内の塗布具を保持する保持部と、塗布具を受け入れる空間の少なくとも一部分を画定する容器スリーブとを有する容器に関する。
【背景技術】
【０００２】
本願明細書の冒頭部に記載されている種類の容器は公知である。公知の容器で、特に高粘度の化粧品に使用されるときに発生する問題は、流動性が無いために化粧品が重力にしたがわず、そのため、容器を傾けたり回転したりしても化粧品を塗布具の塗布部に適切にとることができないことである。そのため、化粧品がまだ容器内に残っていても塗布具と一緒に容器を捨てなくてはならないという事態が頻繁に発生する。
【０００３】
特許文献１は、容器に対して軸線方向に移動可能な保持部を備えた容器を開示している。特許文献２は、蛇腹部を有する、塗布具を収容する容器を開示している。また、特許文献３により、ねじ山が設けられた保持部が周知となっている。
【特許文献１】米国特許第５９５１１８６号明細書
【特許文献２】米国特許第５００２４１５号明細書
【特許文献３】独国特許出願公開第１９７４４１８１号明細書
【発明の開示】
【発明が解決しようとする課題】
【０００４】
本発明の目的は、本明細書の冒頭部に記載されている種類の容器を、比較的高粘度の化粧品の場合でさえも、より高い有効使用率が達成されるようにさらに進化させることである。
【課題を解決するための手段】
【０００５】
本発明によれば、この目的は、容器スリーブに対する保持部の相対位置が調整可能であることよって達成されるが、構成要素によって容器縦軸を横切る方向に調整可能であることが好ましく、ピボット運動のように調整可能であることがさらに好ましい。
【０００６】
これに関し、本発明は、容器スリーブに対する保持部の相対位置の変化に伴って塗布具の塗布部の相対位置もまた容器スリーブに対して変化することを実現させることを基礎とするものである。それによって実際に何が起こるかというと、塗布具の塗布部が高粘度（したがって環境によっては流動不可能となる）化粧品に向かって移動し、すなわち化粧品を取り出すために塗布部を化粧品の中に入れることができ、それによって有効使用率が全体的に向上する。
【０００７】
単に好ましい実施態様によれば、保持部と容器スリーブの間に変形可能な連結手段が設けられている。この場合、連結手段の変形は、容器スリーブに対する保持部の相対位置の調整と関係するものであり、最終的な結果として、化粧品に対する塗布具の塗布部の相対移動がもたらされる。このようにして化粧品の残りを簡単に取り出すことができる。
【０００８】
この連結手段は蛇腹部を有していることが好ましい。さらにこの構造は、本発明による容器の特に簡素な性質の構成を含んでいる。
【０００９】
この場合、蛇腹部は、１つ、２つ、またはそれ以上の内向き突出部および／または１つ、２つ、またはそれ以上の外向き突出部を有していてもよく、これに関する決定は、一方では所定の形状によって決まり、他方ではその容器に求められる外観によって決まる。
【００１０】
連結手段は、断面の輪郭が尖っているか、または弓形となってものとすることができる。さらにこれに関する決定は、特にデザイン面を考慮して行われる。
【００１１】
本発明による連結手段は、エラストマ材料を含み得ることが好ましい。これは、蛇腹部を備えた構造だけに当てはまるのではない。むしろ、本発明によれば、特定の弾力性は、容器スリーブに対する保持部の相対位置の調整性の要因となり得る。
【００１２】
本発明の別の好適な実施態様は、連結手段を少なくとも部分的に覆うカバー手段を提供する。そのようなカバー手段は、詳細には、次の２つの理由から提供できる。一方においては、連結手段が見えることが望ましくない場合に、美的理由から連結手段を隠すためであるが、他方においては、カバーは、例えば着色などによって、化粧品の色に関する情報も表すこともできる。
【００１３】
容器は原則としてどのような形状のものにすることも可能である。本発明によれば、容器は円筒状または球状であることが好ましい。特に、本発明を考慮すると、化粧品を入れる領域の内部空間が球状となっている前述容器を使用することもできる。これは、たとえ化粧品が粘度の高いものであったとしても、球形であることによってサイズが大きくなる内部空間から実際に化粧品をすくい上げることができるからである。
【００１４】
本発明によれば、保持部はネジ山付きであることが好ましい。この構造は、塗布具を容器に対して、着脱可能でありながら密封式に保持しなくてはならないときに特に有利である。最も大きく変動する材料が容器に適している。容器は、ポリエチレン、ポリプロピレン、ＰＶＣ、ポリアミド、ポリエステル、ＰＥＴ、およびＡＢＳ等の熱可塑性材料を含むことが好ましい。
【００１５】
特にプラスチック材料を使用する場合、容器はブロー成形またはインジェクジョンブロー成形によって成形されることが好ましい。これによって製造コストを特に低くすることができる。
【発明を実施するための最良の形態】
【００１６】
以下、添付の図面を参照しながら、例として好適な実施形態を用いて本発明を詳細に説明する。
【００１７】
図１は、容器スリーブ１２と、表面に雄ネジ山１６が設けられている保持領域１４とを備えた第１の容器１０を示す。保持領域１４と容器スリーブ１２との間には、４つの外向き突出部を有する蛇腹部１８が配されている。それぞれの外向き突出部は断面の輪郭が尖っており、そのうちの１つが例として参照数字２０で識別されている。蛇腹部は、第１の容器に入れるべき化粧品に対応する色、すなわち、例えばブラックのマスカラの場合は黒色、の柔軟な収縮チューブ２２で囲まれている。
【００１８】
自由端にブラシの形態の塗布部２６を備えた、ＰＯＭを含む塗布具２４は、第２の容器３０の保持領域２８に保持されている。第２の容器３０の容器スリーブ３２には、第１の容器の雄ネジ山１６に一致する雌ネジ山３４が設けられている。容器スリーブ３２は、塗布具２４を受け入れる受入れ空間３６のまわりに延びている。ブラシの代わりに、植毛を施した発泡体や、さらに先細の筆を設けることも可能である。
【００１９】
同様に、容器スリーブ１２は受入れ空間３８のまわりに延びている。他の点では、受入れ空間３８は第１の容器１０の底部４０によって区切られている。受入れ空間３８は比較的高粘度の化粧用（図示せず）の貯蔵部としての役割も同時に果たす。
【００２０】
塗布具２４が第１の容器に押し込まれ、それと同時にネジ山１６と３４が嵌め合わされると、塗布具２４の塗布部２６が第１の容器１０の底部近傍の領域に配置される。この状況において、保持領域１４は塗布具２４を保持するように働く。この操作位置で、第２の容器３０の保持領域２８およびそれと共に第１の容器１０の保持領域１４とを、図１の左側（したがって、容器１０の縦軸４４に対して横方向）に向かって第１の容器１０の容器スリーブ１２に対してピボット回転させる（蛇腹部１８の柔軟性のおかげで難なくできる）と、塗布部２６が第１の容器１０の容器スリーブ１２の図１では右側に接近し、したがって、容器スリーブ１２の内壁近傍にある化粧品をすくい上げることができる。このようにして、図１において容器スリーブ１２の左底の隅にある化粧品材料を塗布具２４の塗布部２６ですくい上げることができる。容器スリーブ１２の内部空間３８の上記以外の部分についても同じことが当てはまることが分かるであろう。
【００２１】
したがって、保持領域１４を容器スリーブ１２に対して固定的に連結した場合と比較して、はるかに多くの化粧品を、塗布具２４の塗布部２６を用いて容器スリーブ１２の内部空間３８からすくい上げることができ、得られる有効使用率が著しく向上する。
【００２２】
図２に示されている容器１０’は、蛇腹部１８がエラストマ材料（例えば、ゴムなど）から成る環状の円板４２に置き換えられていることだけが、図１記載の第１の容器１０とは異なっている。環状の円板は、容器スリーブ１２および保持領域１４に接着または溶着される。このように―図１に示される構造の場合のように―、保持領域１４を容器スリーブ１２に対して図２に示されている図の左側に向かってピボット回転させることができる。それによって環状の円板４２の左側の部分は圧縮されるが右側の部分は引き伸ばされる。したがって、これによって、第１の容器１０’内に配されている塗布具２４の塗布部２６が容器スリーブ１２の右底の隅に動かされ、例え化粧品が高粘度のものであったとしても、化粧品をすくい上げることができる。
【００２３】
図面には示されていないが、この収縮チューブ２２に関して別の変更形態がある。
【００２４】
例えば、収縮チューブの代わりに、射出成形または押出成形された柔らかい弾塑性材料の環状体を使うことができる。この環状体は、化粧品を充填する前に、最初に装着用チューブに押し込まれ、次に保持領域１４に押し込まれる。そうではなく、追加的な射出成形または注入成形作業によって環状体を無加圧状態で蛇腹部１８に貼り付けることも可能である。この場合、他のすべての構造でもそうであってように、例として柔軟な可撓性のプラスチック材料（例えば、シリコーン）が使用される。
【００２５】
最後に、収縮チューブ２２ではなく、スリットの入った環状体、または熱可塑性材料を含む、両端が互いに重なり合っている開環状の部品を使用することもできる。
【００２６】
説明されている容器スリーブ１２と３２、保持領域１４と２８、および蛇腹部１８の材料として、熱可塑性材料、詳細には、ＰＥＴ、ＰＶＣ、ナイロン、ポリアミド、およびポリエステルが考えられる。これは、塗布具２４にも当てはまる。特に、蛇腹部１８と保持領域１４とを含んでいる第１の容器１０は、ブロー成形で作成するのが最も簡単である。
【００２７】
２つの第１の容器１０と１０’は、図面では円筒形として示されている。しかしながら、本発明を考慮すると、特に蛇腹部１８と環状の円板４２のそれぞれに関しては、有効使用率に悪影響を及ぼさずに容器を球状または円錐状にすることもできる。
【００２８】
以上の説明、請求の範囲、および図面に開示されている本発明の特徴は、本発明のさまざまな実施形態を個別または任意に組み合わせて本発明を実施する上で不可欠なものであり得る。
【図面の簡単な説明】
【００２９】
【図１】本発明の第１の実施形態による容器を備えた塗布具の略断面図である。
【図２】図２は、本発明の第２の実施形態による容器の略断面図である。
【符号の説明】
【００３０】
１０、３０    容器
１２、３２    容器スリーブ
１４、２８    保持領域
１６、３４    雄ネジ山
１８    蛇腹部
２０    外向き突出部
２２    収縮チューブ
２４    塗布具
２６    塗布部
３６、３８    受入れ空間
４０    底部
４２    円板
４４    縦軸
2005534355.tif 000003
【国際調査報告】
2005534355.tif 000004
2005534355.tif 000005
2005534355.tif 000006
2005534355.tif 000007